【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
画像再構成方法を行うために少なくとも１つの電子プロセッサを含むワークステーションによって読取り可能及び実行可能な命令を記憶した非一時的コンピュータ可読媒体であって、前記方法が、
隣接するフレーム同士が軸方向に沿って重なっている状態で、前記軸方向に沿って、フレームの撮像データをフレームごとに獲得するように、陽電子放出断層撮影（ＰＥＴ）撮像装置を動作させるステップであって、前記フレームが、フレーム（ｋ）、前記フレーム（ｋ）に重なっている先行フレーム（ｋ−１）、及び前記フレーム（ｋ）に重なっている後続フレーム（ｋ＋１）を含む、ステップと、
前記フレーム（ｋ）、前記先行フレーム（ｋ−１）、及び前記後続フレーム（ｋ＋１）からの撮像データを使用して、前記フレーム（ｋ）の画像を再構成するステップと、
を有する、非一時的コンピュータ可読媒体。
【請求項２】
前記フレーム（ｋ）の前記画像の前記再構成が、前記後続フレーム（ｋ＋１）の後に続く第２の後続フレーム（ｋ＋２）の撮像データの獲得中に行われる、請求項１に記載の非一時的コンピュータ可読媒体。
【請求項３】
前記フレーム（ｋ）、前記先行フレーム（ｋ−１）、及び前記後続フレーム（ｋ＋１）からの撮像データを使用して、前記フレーム（ｋ）の前記画像を再構成するステップが、
前記フレーム（ｋ）と前記先行フレーム（ｋ−１）との間の重なり、及び前記フレーム（ｋ）と前記後続フレーム（ｋ＋１）との間の重なりによって定められる少なくとも１つのエリアに交差する応答線についての撮像データを使用して、前記フレーム（ｋ）の前記画像を再構成するステップ
を含み、
前記フレーム（ｋ）、前記先行フレーム（ｋ−１）、及び前記後続フレーム（ｋ＋１）からのデータを使用して前記フレーム（ｋ）の前記画像を再構成するステップが、
前記フレーム（ｋ）と前記先行フレーム（ｋ−１）との間の重なり、及び前記フレーム（ｋ）と前記後続フレーム（ｋ＋１）との間の重なりによって定められるエリアに交差する応答線についての撮像データを使用して、前記フレーム（ｋ）の前記画像を再構成するステップ
をさらに含む、請求項１又は２に記載の非一時的コンピュータ可読媒体。
【請求項４】
前記先行フレーム（ｋ−１）と、前記先行フレーム（ｋ−１）の前にある第２の先行フレーム（ｋ−２）と、前記フレーム（ｋ）とからの撮像データを使用して、前記後続フレーム（ｋ＋１）の撮像データの獲得中に、前記先行フレーム（ｋ−１）の画像を再構成するステップ
をさらに含み、
前記フレーム（ｋ）、前記先行フレーム（ｋ−１）、及び前記後続フレーム（ｋ＋１）からの撮像データを使用して、前記フレーム（ｋ）の前記画像を再構成するステップが、
前記第２の先行フレーム（ｋ−２）、前記先行フレーム（ｋ−１）、及び前記フレーム（ｋ）からの撮像データを使用して再構成された前記先行フレーム（ｋ−１）の前記画像を、前記先行フレーム（ｋ−１）に交差する応答線に沿った電子−陽電子消滅事象の局在化の推定で使用するステップ
を含む、請求項１から３のいずれか一項に記載の非一時的コンピュータ可読媒体。
【請求項５】
前記フレーム（ｋ）、前記先行フレーム（ｋ−１）、及び前記後続フレーム（ｋ＋１）からの撮像データを使用して、前記フレーム（ｋ）の前記画像を再構成するステップが、
第２の後続フレーム（ｋ＋２）の撮像データの獲得中に、前記後続フレーム（ｋ＋１）についての前記撮像データのみを使用して前記後続フレーム（ｋ＋１）の画像推定を生成するステップと、
前記後続フレーム（ｋ＋１）の前記画像推定を、前記後続フレーム（ｋ＋１）に交差する応答線に沿った電子−陽電子消滅事象の局在化の推定で使用するステップと
をさらに含む、請求項４に記載の非一時的コンピュータ可読媒体。
【請求項６】
前記動作させるステップは、前記撮像データをリストモード撮像データとして獲得し、前記フレーム（ｋ）、前記先行フレーム（ｋ−１）、及び前記後続フレーム（ｋ＋１）からのデータを使用して前記フレーム（ｋ）を再構成するステップが、
前記フレーム（ｋ）、前記先行フレーム（ｋ−１）、及び前記後続フレーム（ｋ＋１）からの前記リストモード撮像データを使用して前記フレーム（ｋ）を再構成するステップ
をさらに含む、請求項１から５のいずれか一項に記載の非一時的コンピュータ可読媒体。
【請求項７】
前記動作させるステップが、すべてが同じではない、前記先行フレーム（ｋ−１）、前記フレーム（ｋ）、及び前記後続フレーム（ｋ＋１）についてのフレーム獲得時間で、前記撮像データを獲得するように前記ＰＥＴ撮像装置を動作させるステップを含み、
前記フレーム（ｋ）を再構成するステップは、前記先行フレーム（ｋ−１）、前記フレーム（ｋ）、及び前記後続フレーム（ｋ＋１）の前記フレーム獲得時間がすべて同じではないことを補償するために、フレーム獲得時間の比を使用するステップを含む
請求項１から６のいずれか一項に記載の非一時的コンピュータ可読媒体。
【請求項８】
前記方法が、
前記動作中に獲得されるすべてのフレームについて画像を再構成するステップであって、前記再構成することは前記フレーム（ｋ）の前記画像を再構成することを含む、ステップと、
前記動作中に獲得されるすべてのフレームについての前記画像を結合して最終画像を生成するステップであって、前記結合することは、隣接するフレームについての画像を画像空間内でつなぎ合わせることを含まない、ステップと
をさらに有する、請求項１から７のいずれか一項に記載の非一時的コンピュータ可読媒体。
【請求項９】
陽電子放出断層撮影（ＰＥＴ）撮像装置と、
少なくとも１つの電子プロセッサとを備え、
前記電子プロセッサは、
隣接するフレーム同士が軸方向に沿って重なっている状態で、前記軸方向に沿って、フレームの撮像データをフレームごとに獲得するように、前記ＰＥＴ撮像装置を動作させることであって、前記フレームが、フレーム（ｋ）、前記フレーム（ｋ）に重なっている先行フレーム（ｋ−１）、及び前記フレーム（ｋ）に重なっている後続フレーム（ｋ＋１）を含む、動作させることと、
前記フレーム（ｋ）、前記先行フレーム（ｋ−１）、及び前記後続フレーム（ｋ＋１）からの撮像データを使用して、前記フレーム（ｋ）の画像を再構成することと
を行い、
前記フレーム（ｋ）の前記画像の前記再構成が、前記後続フレーム（ｋ＋１）の後に続く第２の後続フレーム（ｋ＋２）の撮像データの獲得中に行われる、撮像システム。
【請求項１０】
前記フレーム（ｋ）、前記先行フレーム（ｋ−１）、及び前記後続フレーム（ｋ＋１）からのデータを使用して前記フレーム（ｋ）を再構成することが、
前記フレーム（ｋ）と前記先行フレーム（ｋ−１）との間の重なり、及び前記フレーム（ｋ）と前記後続フレーム（ｋ＋１）との間の重なりによって定められるエリアに交差する応答線についての撮像データを使用して、前記フレーム（ｋ）の前記画像を再構成すること、
をさらに含む、請求項９に記載の撮像システム。
【請求項１１】
前記先行フレーム（ｋ−１）と、前記先行フレーム（ｋ−１）の前にある第２の先行フレーム（ｋ−２）と、前記フレーム（ｋ）とからの撮像データを使用して、前記後続フレーム（ｋ＋１）の撮像データの獲得中に、前記先行フレーム（ｋ−１）の画像を再構成すること
をさらに含む、請求項９又は１０に記載の撮像システム。
【請求項１２】
前記フレーム（ｋ）、前記先行フレーム（ｋ−１）、及び前記後続フレーム（ｋ＋１）からの撮像データを使用して前記フレーム（ｋ）の前記画像を再構成することが、
前記第２の先行フレーム（ｋ−２）、前記先行フレーム（ｋ−１）、及び前記フレーム（ｋ）からの撮像データを使用して再構成された前記先行フレーム（ｋ−１）の前記画像を、前記先行フレーム（ｋ−１）に交差する応答線に沿った電子−陽電子消滅事象の局在化の推定で使用すること
を含み、
前記フレーム（ｋ）、前記先行フレーム（ｋ−１）、及び前記後続フレーム（ｋ＋１）からの撮像データを使用して前記フレーム（ｋ）の前記画像を再構成することが、
前記第２の後続フレーム（ｋ＋２）の撮像データの獲得中に、前記後続フレーム（ｋ＋１）についての前記撮像データのみを使用して前記後続フレーム（ｋ＋１）の画像推定を生成することと、
前記後続フレーム（ｋ＋１）の前記画像推定を、前記後続フレーム（ｋ＋１）に交差する応答線に沿った電子−陽電子消滅事象の局在化の推定で使用することと
をさらに含む、請求項１１に記載の撮像システム。
【請求項１３】
前記動作させることは、前記撮像データをリストモード撮像データとして獲得し、
前記フレーム（ｋ）、前記先行フレーム（ｋ−１）、及び前記後続フレーム（ｋ＋１）からのデータを使用して前記フレーム（ｋ）を再構成することが、
前記フレーム（ｋ）、前記先行フレーム（ｋ−１）、及び前記後続フレーム（ｋ＋１）からの前記リストモード撮像データを使用して前記フレーム（ｋ）を再構成すること
をさらに含む、請求項９から１２のいずれか一項に記載の撮像システム。
【請求項１４】
前記動作させることは、すべてが同じではない、前記先行フレーム（ｋ−１）、前記フレーム（ｋ）、及び前記後続フレーム（ｋ＋１）についてのフレーム獲得時間で、前記撮像データを獲得するように前記ＰＥＴ撮像装置を動作させることを含み、
前記フレーム（ｋ）を再構成することは、前記先行フレーム（ｋ−１）、前記フレーム（ｋ）、及び前記後続フレーム（ｋ＋１）の前記フレーム獲得時間がすべて同じではないことを補償するために、フレーム獲得時間の比を使用することを含む、
請求項９から１３のいずれか一項に記載の撮像システム。
【請求項１５】
前記動作中に獲得されるすべてのフレームについて画像を再構成することであって、前記再構成することは前記フレーム（ｋ）の前記画像を再構成することを含む、再構成することと、
前記動作中に獲得されるすべてのフレームについての前記画像を結合して最終画像を生成することであって、前記結合することは、隣接するフレームについての画像を画像空間内で共につなぎ合わせることを含まない、生成することと
をさらに有する、請求項９から１４のいずれか一項に記載の撮像システム。